(57)【要約】【課題】  安全性を高めるとともに、接続損失の悪化防止に寄与し、また、防塵性に優れ、さらには、非運用時に邪魔になる部分をなくし見栄えをよくした光コンセントユニットのフロントカバーを提供する。【解決手段】  フロントカバー５５は、運用時・非運用時において、光コンセントユニット５１のユニット本体５２に対し閉状態となるとともに、ユニット本体５２に対し係止状態となり、光コネクタの接続前においては、係止状態を解除することによって係止解除状態となるとともに、上部７７側を回転中心として開き下部７８側から光コネクタの光接続部分への差し込みを可能とした開状態となり、さらに、光コネクタの接続後においては、開状態から閉状態への移行の際に光コネクタのブーツが当接することによって引き出し用のシャッター７６が押し上げられるシャッター押し上げ状態となる。【選択図】    図１
2006098793.tif 000002
【特許請求の範囲】
【請求項１】
情報コンセントを構成する光コンセントユニットの光接続部分前方に配置するフロントカバーであって、
運用時・非運用時においては、前記光コンセントユニットのユニット本体に対し閉状態となるとともに、前記ユニット本体又は前記情報コンセントのフェイスプレートに対し係止状態となり、
光コネクタの接続前においては、前記係止状態を解除することによって係止解除状態となるとともに、上部側を回転中心として開き下部側から前記光コネクタの前記光接続部分への差し込みを可能とした開状態となり、
さらに、前記光コネクタの接続後においては、前記開状態から前記閉状態への移行の際に前記光コネクタのブーツ又は光ファイバケーブルが当接することによって引き出し用のシャッターが押し上げられるシャッター押し上げ状態となる
ことを特徴とする光コンセントユニットのフロントカバー。
【請求項２】
情報コンセントを構成する光コンセントユニットの光接続部分前方に配置するフロントカバーであって、
運用時・非運用時においては、前記光コンセントユニットのユニット本体に対し閉状態となるとともに、前記ユニット本体又は前記情報コンセントのフェイスプレートに対し係止状態となり、
光コネクタの接続前においては、前記係止状態を解除することによって係止解除状態となるとともに、上部側を回転中心として開き下部側から前記光コネクタの前記光接続部分への差し込みを可能とした開状態となり、
さらに、前記光コネクタの接続後においては、該光コネクタのブーツ又は光ファイバケーブルの引き出し用のシャッターを押し上げたシャッター押し上げ状態で前記開状態から前記閉状態及び前記係止状態へ移行する
ことを特徴とする光コンセントユニットのフロントカバー。
【請求項３】
請求項１又は請求項２に記載の光コンセントユニットのフロントカバーにおいて、
前記閉状態は、前記フェイスプレートに対し略平行となる
ことを特徴とする光コンセントユニットのフロントカバー。
【請求項４】
請求項１ないし請求項３いずれか記載の光コンセントユニットのフロントカバーにおいて、
前記シャッターは、前記ブーツ又は前記光ファイバケーブルのサイズに合わせたスリットを開閉する
ことを特徴とする光コンセントユニットのフロントカバー。
【請求項５】
請求項１ないし請求項４いずれか記載の光コンセントユニットのフロントカバーにおいて、
前記回転中心は、ヒンジ構造により形成する
ことを特徴とする光コンセントユニットのフロントカバー。
【発明の詳細な説明】
【技術分野】
【０００１】
本発明は、情報コンセントを構成する光コンセントユニットの光接続部分前方に配置するフロントカバーに関する。
【背景技術】
【０００２】
情報コンセント（アウトレットとも言う）は、例えば、住宅内等に光ファイバケーブルを配設する際に用いられるものであって、下記特許文献１に開示されたような情報コンセントが知られている。その下記特許文献１に開示された情報コンセントは、壁内部に配設された光ファイバケーブルからの出射光（光接続部分からの出射光）が直接人間の目に入射しないように配慮した構造を有しており、危険性を低減することができるようになっている。
【０００３】
図３６を参照しながら具体的に説明すると、情報コンセント１は、その情報コンセント１を構成する光コンセントユニット２の筐体３がフェイスプレート４及びコンセント取り付け枠（図示省略）と組み合わせられて壁５に取り付けられている。壁５の内部には、上記コンセント取り付け枠を固定したコンセントボックス６が収容されている。
【０００４】
壁５の内部に配設された光ファイバケーブル７の光コネクタ８と、室内側の光ファイバケーブル９の光コネクタ１０は、筐体３内に設けられた光コネクタアダプタ１１によって互いに対向し合うように接続されている。光ファイバケーブル９の光コネクタ１０は、筐体３の開口部１２に差し込まれて光コネクタアダプタ１１に接続されている。開口部１２は、斜め下方向に開口するように形成されている。筐体３は、開口部１２を斜め下方向に開口させるために図示のような突出部分１３を有するように形成されている。
【０００５】
光コネクタアダプタ１１と開口部１２との間には、閉状態となったときに開口部１２を塞ぐ遮光用のフロントカバー１４が設けられている。そのフロントカバー１４は、回転中心１５を支軸として回転可能に構成されている。フロントカバー１４は、光ファイバケーブル９の光コネクタ１０を押し付けることによって容易に回転方向に移動するように構成されている。
【０００６】
上記構成において、閉状態から光ファイバケーブル９の光コネクタ１０を開口部１２を介して光コネクタアダプタ１１側へ差し込むと、フロントカバー１４は回転中心１５を支軸として回転し、破線で示すような位置に回転移動する。この時、フロントカバー１４は開状態となる。尚、フロントカバー１４の裏側には、バネ部材（図示省略）が配置されており、フロントカバー１４の閉状態の位置に向かってバネ付勢をするように構成されている。そして、光コネクタ１０の接続後において、その光コネクタ１０を光コネクタアダプタ１１から抜き取ると、上記バネ部材の復元力によってフロントカバー１４は実線で示す元の位置に戻って閉状態となる。
【特許文献１】特開２００３−２６２７６１号公報  （第３頁、第１図）
【発明の開示】
【発明が解決しようとする課題】
【０００７】
ところで、上記従来技術にあっては、光ファイバケーブル９の光コネクタ１０が一般的な石英系ガラス光ファイバ用コネクタ（例えばＬＣコネクタ）である場合に、次のような二つの問題点を有している。すなわち、一つ目は、ハウジング先端からコネクタフェルール部分が突出する構造を有することから、光ファイバ及びフェルール端面が先ず最初にフロントカバー１４に突き当たってしまうことになり、傷やゴミの付着が生じて接続損失を悪化させるという問題点を有している。
【０００８】
また、二つ目は、光コネクタアダプタ１１からの抜けを規制するためにロック構造を有することから、開口部１２の間口をできるだけ大きく形成しなければならず、そのため、フロントカバー１４の開状態においては、内部への異物侵入が避けられないという問題点を有している。
【０００９】
さらに、上記従来技術にあっては、フロントカバー１４が光コネクタ１０でなく指の押圧でも簡単に開状態となってしまう構造であることから、次のような問題点を有している。すなわち、光コネクタ１０が接続されていない状態で、仮に、小さい子供等が指でフロントカバー１４を開状態にしてしまうと、壁５の内部に配設された光ファイバケーブル７からの出射光が直接目に入ってしまう可能性があり、そのため、小さい子供等に対する危険回避が十分でないという問題点を有している。
【００１０】
さらにまた、上記従来技術にあっては、光ファイバケーブル９に対して、又は光コネクタ１０のブーツ１６に対して何らかの要因で外力が加わると、その衝撃が光接続部分に伝わってしまうようになることから、光学的な接続への影響に配慮した構造でないという問題点を有している。
【００１１】
さらにまた、上記従来技術にあっては、開口部１２の配置のために突出部分１３を形成していることから、運用時に光ファイバケーブル９が壁５からかなり離れた位置で垂れて邪魔になったり、或いは、非運用時においても室内側に突出部分１３が突出して邪魔になったり、ぶつかったりするという問題点を有するとともに、見栄えも悪いという問題点を有している。
【００１２】
本発明は、上述した事情に鑑みてなされたもので、安全性を高めるとともに、接続損失の悪化防止に寄与し、また、防塵性に優れ、さらには、非運用時に邪魔になる部分をなくし見栄えをよくした光コンセントユニットのフロントカバーを提供することを課題とする。
【課題を解決するための手段】
【００１３】
上記課題を解決するためになされた請求項１記載の本発明の光コンセントユニットのフロントカバーは、情報コンセントを構成する光コンセントユニットの光接続部分前方に配置するフロントカバーであって、運用時・非運用時においては、前記光コンセントユニットのユニット本体に対し閉状態となるとともに、前記ユニット本体又は前記情報コンセントのフェイスプレートに対し係止状態となり、光コネクタの接続前においては、前記係止状態を解除することによって係止解除状態となるとともに、上部側を回転中心として開き下部側から前記光コネクタの前記光接続部分への差し込みを可能とした開状態となり、さらに、前記光コネクタの接続後においては、前記開状態から前記閉状態への移行の際に前記光コネクタのブーツ又は光ファイバケーブルが当接することによって引き出し用のシャッターが押し上げられるシャッター押し上げ状態となることを特徴としている。
【００１４】
このような特徴を有する本発明によれば、運用時・非運用時ともフロントカバーが閉じた状態になる。フロントカバーを開く必要があるのは、サービス開始時となる光コネクタ接続時と、サービス停止時となる光コネクタ接続解除時の二つの場合になる。フロントカバーは、閉状態において、光コンセントユニットのユニット本体、又は情報コンセントのフェイスプレートに対し係止される。その係止は、フロントカバーが簡単に開いてしまうことを防止する。また、フロントカバーは、閉状態において、光コネクタの光接続部分を覆い、誤って光コネクタのロックが解除されることを防止する。さらに、フロントカバーは、閉状態において、出射光を遮蔽したりゴミや埃等の異物の侵入を防止する。
【００１５】
フロントカバーは、手で係止状態を解除するとともに手で開くことによって光コネクタの接続又は接続解除を可能とする。フロントカバーは、光コネクタの押しつけによって開くような構造を有するものではないものとする。フロントカバーは、係止構造を有することで、特に子供によって簡単に開状態にされてしまうことを防止する。尚、係止状態の解除は手の他に治具を用いることも可能であるものとする。
【００１６】
フロントカバーに設けたシャッターは、非運用時において自重で閉じる構造であり、光コネクタが接続された状態であるとブーツ又は光ファイバケーブルによって押し上げられる構造である。具体的には、フロントカバーを開いた時にはまだシャッターが閉じており、フロントカバー開状態から閉状態に移行する際になってシャッターの端部にブーツ又は光ファイバケーブルが当接すると、その当接によってシャッターは押し上げられるようになる。本発明に含まれるシャッターは、人の手で開け閉めするものでなく、光コネクタの接続有無によって自動的に開閉する構造である。本発明に含まれるシャッターは、電話線用モジュラージャックの取っ手がついた既知シャッターとは異なるものである。
【００１７】
請求項２記載の本発明の光コンセントユニットのフロントカバーは、情報コンセントを構成する光コンセントユニットの光接続部分前方に配置するフロントカバーであって、運用時・非運用時においては、前記光コンセントユニットのユニット本体に対し閉状態となるとともに、前記ユニット本体又は前記情報コンセントのフェイスプレートに対し係止状態となり、光コネクタの接続前においては、前記係止状態を解除することによって係止解除状態となるとともに、上部側を回転中心として開き下部側から前記光コネクタの前記光接続部分への差し込みを可能とした開状態となり、さらに、前記光コネクタの接続後においては、該光コネクタのブーツ又は光ファイバケーブルの引き出し用のシャッターを押し上げたシャッター押し上げ状態で前記開状態から前記閉状態及び前記係止状態へ移行することを特徴としている。
【００１８】
このような特徴を有する本発明によれば、フロントカバーを開状態から閉状態及び係止状態へ移行させる際に、予めシャッターを押し上げておくことが請求項１のフロントカバーと異なる点である。閉状態及び係止状態とすると、請求項１のフロントカバーと同様、光コネクタのブーツ又は光ファイバケーブルのみがフロントカバーから引き出された状態になる。
【００１９】
請求項３記載の本発明の光コンセントユニットのフロントカバーは、請求項１又は請求項２に記載の光コンセントユニットのフロントカバーにおいて、前記閉状態は、前記フェイスプレートに対し略平行となることを特徴としている。
【００２０】
このような特徴を有する本発明によれば、運用時・非運用時とも室内側への突出が最小となる。フロントカバーとフェイスプレートとを略平行に配置するためには、フロントカバーと光接続部分との間隔を狭めたり、光接続部分を壁内の既知コンセントボックスの奥壁方向に若干移動させたりすることで実現が可能である。フロントカバーと光接続部分との間隔を狭める構造にすると、防塵機能の向上に寄与することになる。尚、コンセントボックスは、比較的深さのある形状に形成されており、光接続部分の若干の移動ではスペースの縮小につながらないのは勿論である。何ら問題はないものとする。
【００２１】
請求項４記載の本発明の光コンセントユニットのフロントカバーは、請求項１ないし請求項３いずれか記載の光コンセントユニットのフロントカバーにおいて、前記シャッターは、前記ブーツ又は前記光ファイバケーブルのサイズに合わせたスリットを開閉することを特徴としている。
【００２２】
このような特徴を有する本発明によれば、最低限の範囲でシャッターが開くことになる。これによりゴミや埃等の異物の侵入が一層起こり難くなる。また、シャッターにより引き出されて室内側に突出するブーツや光ファイバケーブルに対し、仮に外力が加わったとしても、その衝撃がスリットを介してフロントカバーに伝わり分散される。
【００２３】
請求項５記載の本発明の光コンセントユニットのフロントカバーは、請求項１ないし請求項４いずれか記載の光コンセントユニットのフロントカバーにおいて、前記回転中心は、ヒンジ構造により形成することを特徴としている。
【００２４】
このような特徴を有する本発明によれば、ヒンジと、これに連続してユニット本体に取り付けられる部分とを有する構成のフロントカバーになる。フロントカバーは、ヒンジを含むヒンジ構造を有することで、フロントカバーの係止状態が解除されると、ヒンジの復元力によってフロントカバーが若干開く方向に移動するようになる。すなわち、その後の作業がし易くなるのは言うまでもない。
【発明の効果】
【００２５】
請求項１、２に記載された本発明によれば、従来よりも安全性を高めることができるという効果を奏する。また、従来よりも接続損失の悪化を防止することができるという効果を奏する。さらに、従来よりも防塵性を向上させることができるという効果を奏する。
【００２６】
請求項３に記載された本発明によれば、運用時・非運用時とも邪魔になる部分をなくすことができるという効果を奏する。また、従来よりも見栄えをよくすることができるという効果を奏する。
【００２７】
請求項４に記載された本発明によれば、防塵性を更に向上させることができるという効果を奏する。また、光学的な接続への影響に配慮した構造にすることができるという効果を奏する。
【００２８】
請求項５に記載された本発明によれば、作業性を向上させることができるという効果を奏する。また、構造を簡素化させることができるという効果を奏する。
【発明を実施するための最良の形態】
【００２９】
以下、図面を参照しながら説明する。
図１は本発明の光コンセントユニットのフロントカバーの一実施の形態を示す図であり、（ａ）は光コンセントユニットの分解斜視図、（ｂ）は光コンセントユニットの斜視図である。また、図２及び図３はユニット本体の図、図４はアダプタステーの図、図５及び図６はフロントカバーのカバー本体の図、図７はフロントカバーのシャッターの図である。
【００３０】
図１において、引用符号５１は本発明に係る光コンセントユニットを示している。その光コンセントユニット５１は、例えば、住宅内等に光ファイバケーブルを配設する際に用いられる情報コンセントの一構成部材であって、ユニット本体５２と、光コネクタアダプタ５３と、アダプタステー５４と、フロントカバー５５とを備えて構成されている。以下、図１ないし図７を参照しながら光コンセントユニット５１の各構成部材について説明する。
【００３１】
上記ユニット本体５２は、後述する取り付け枠９０の複数の取り付け口９１の一つに対して着脱自在となる部材であって、例えば、ＡＢＳ等の合成樹脂材料を用いて成形されている（取り付け枠９０は図１７〜２３を参照しながら後述する情報コンセント９７のフェイスプレート９６の裏側に配置されるものとする）。ユニット本体５２は、後述するフェイスプレート９６の開口部形状に合わせて形成された開口枠部５６と、その開口枠部５６に連続する本体枠部５７と、本体枠部５７の左右両側にそれぞれ連続する固定部５８とを有している。
【００３２】
開口枠部５６は、上と左と右の三つの壁からなる倒れコ字状の形状に形成されている。また、開口枠部５６は、長方形状に開口する後述するフェイスプレート９６の開口部９５から若干突出するように形成されている。開口枠部５６は、ユニット本体５２の前部、言い換えれば本体枠部５７の前部に形成されている。尚、開口枠部５６に下壁がないのは、フロントカバー５５の後述する下部７８に指を引っ掛かけることができるようにするためである。
【００３３】
本体枠部５７は、その前部と開口枠部５６とに跨ってフロントカバー５５を取り付けすることができるように形成されている。また、本体枠部５７は、その後部からアダプタステー５４を取り付けすることができるように形成されている。具体的に説明すると、本体枠部５７には、フロントカバー５５に対する一対の第一係止部５９と、一対の第二係止部６０と、一対の当接面６１とが形成されている。また、本体枠部５７には、アダプタステー５４に対するアダプタステー収容空間６２と、一対のアダプタステー固定アーム６３と、一対のアダプタステーガイド溝６４とが形成されている。
【００３４】
第一係止部５９は、本体枠部５７の内側上部に形成されている。また、第一係止部５９は、フロントカバー５５の後述するヒンジ構造７５の一部が差し込まれるとともに、その一部を係止することができるように形成されている。第二係止部６０は、本体枠部５７の内側下部に形成されている。また、第二係止部６０は、フロントカバー５５の後述する係止突起８４が差し込まれるとともに、その係止突起８４を係止することができるように形成されている。当接面６１は、本体枠部５７の内側であって上記左と右の各壁に沿って形成されている。すなわち、上下方向に延在するように形成されている。また、当接面６１は、平坦な面となるように形成されている。さらに、当接面６１は、フロントカバー５５の後述する閉状態及び係止状態において、そのフロントカバー５５の裏面に面接触又は僅かの間隙を有して対向するように形成されている。
【００３５】
アダプタステー収容空間６２は、アダプタステー５４を収容するための空間であって、一対の当接面６１の間に形成されている。また、アダプタステー収容空間６２は、ユニット本体５２の前後を貫通するように形成されている。アダプタステー固定アーム６３は、アダプタステー５４を固定するための可撓性を有する係止突起であって、一対の当接面６１の裏側となる本体枠部５７の後部から突出するように、且つ先端の係止用爪部分がアダプタステー収容空間６２側に突出するように配置形成されている。アダプタステーガイド溝６４は、アダプタステー５４の後述するガイド突起７２を案内するための溝であって、本体枠部５７の後部から前部に向けてスリット状に形成されている。また、アダプタステーガイド溝６４は、アダプタステー収容空間６２に連通するように形成されている。
【００３６】
固定部５８は、後述する取り付け口９１の一つに対して着脱自在となるように形成されている。具体的に説明すると、固定部５８は、後述する電話線用モジュラージャック９２の固定部９４と同じ形状となるように形成されている。すなわち、固定部５８は、汎用性のある形状に形成されている。このような固定部５８には、特に限定するものではないが、接続部保持部６５が形成されている。その接続部保持部６５は、特に図示しないが、後述する壁内部側の光ファイバケーブル（図示省略）と光コンセントユニットへの接続を行うための光ファイバコード（図示省略）との接続部（例えば融着接続部）の補強部を保持することができるように形成されている。
【００３７】
本形態における接続部保持部６５は、固定部５８の後部側に形成されている。また、接続部保持部６５は、上下方向にのびる一対の平行な壁によって形成されている（接続部保持部６５の形状及び配置は一例であるものとする。光ファイバケーブルと光コンセントユニットへの接続を行うための光ファイバコードとの接続部（例えば融着接続部）の補強部を保持し、この保持部分をもとに光ファイバケーブルの余長をまとめると、コンセントボックス内での光ファイバケーブルは整頓されるという利点を有する）。
【００３８】
上記光コネクタアダプタ５３は、壁内部側の光コネクタ（図示省略）と、壁外部側から差し込まれる後述の光コネクタ９８同士の光学的な接続を中継する部材であって、ここでは既知のものが用いられている。尚、本形態において、単心タイプの光コネクタアダプタ５３が用いられているが、二心タイプのものを用いても当然によいものとする。光コネクタアダプタ５３には、壁内部側の光コネクタ（図示省略）を差し込むと嵌合する接続部６６と、同じく後述する光コネクタ９８を差し込むと嵌合する接続部６７とが形成されている。接続部６６及び６７は、光コネクタアダプタ５３の軸方向に沿って配置形成されている。光コネクタアダプタ５３の外周面には、固定用の係止手段６８が形成されている。
【００３９】
上記アダプタステー５４は、光コネクタアダプタ５３をユニット本体５２の所定位置に配置固定するための部材であって、例えば、ＡＢＳ等の合成樹脂材料を用いて成形されている。アダプタステー５４は、斜面６９を有する三角形のブロックとなるような図示の形状に形成されている。このようなアダプタステー５４には、上記の斜面６９の他に固定枠部７０と、一対の係止部７１と、一対のガイド突起７２とが形成されている。
【００４０】
斜面６９は、光コネクタアダプタ５３を固定する際に、その光コネクタアダプタ５３を載せる部分であって、所定の角度（例えば５０°）で傾斜するように形成されている。固定枠部７０は、門形の枠形状であって、斜面６９の途中に形成されている。固定枠部７０は、斜面６９に対して垂直に形成されている。固定枠部７０には、光コネクタアダプタ５３が差し込まれ、その光コネクタアダプタ５３の係止手段６８が引っ掛かるようになっている。
【００４１】
係止部７１は、ユニット本体５２のアダプタステー固定アーム６３を引っ掛けるための部分であって、アダプタステー５４の側面に形成されている。係止部７１は、アダプタステー５４の側面を若干凹ませるような形状に形成されている。ガイド突起７２は、アダプタステー５４をユニット本体５２に対して案内するための突起であって、アダプタステー５４の側面下部から垂直に突出するように形成されている。ガイド突起７２は、ユニット本体５２のアダプタステーガイド溝６４に差し込まれるような形状に形成されている。
【００４２】
アダプタステー５４の後部には、特に限定するものではないが、接続部保持部７３が形成されている。その接続部保持部７３は、ユニット本体５２の接続部保持部６５と同じ機能を有している。アダプタステー５４の接続部保持部７３は、左右方向にのびる溝形状に形成されている。
【００４３】
尚、図４（ａ）に示されるアダプタステー５４は、二心タイプの光コネクタアダプタに対応するように形成されている。また、図４（ｂ）に示されるアダプタステー５４は、単心タイプの光コネクタアダプタ５３に対応するように形成されている。図４（ａ）と図４（ｂ）のアダプタステー５４は、固定枠部７０の配置及び二心タイプの光コネクタアダプタに対応するよう枠寸法が異なっているだけでその他は同一に形成されている。これは光コネクタアダプタ５３の係止手段６８の配置がもともと異なっているためである。いずれかのアダプタステー５４が用いられるものとする。
【００４４】
上記フロントカバー５５は、ユニット本体５２の前部に対し開閉自在に取り付けられる部材であって、例えば、ＰＰ等の合成樹脂材料を用いて成形されている。フロントカバー５５は、カバー本体７４と、そのカバー本体７４に対して一体のヒンジ構造７５と、カバー本体７５に対して別体のシャッター７６とを有して構成されている。カバー本体７４は、開口枠部５６の大きさに合わせて形成されている。すなわち、カバー本体７４は、開口枠部５６の全体を覆うことができるように形成されている。
【００４５】
カバー本体７４は、その表裏面が平坦な面となるように形成されている。このようなカバー本体７４の上部７７には、上記ヒンジ構造７５が連続するように形成されている。また、カバー本体７４の下部７８には、スリット７９が形成されている。さらに、カバー本体７４の裏面には、シャッター７６に対するシャッター収容部８０が形成されている。
【００４６】
スリット７９は、後述する光コネクタ９８のブーツ９９（又は光ファイバケーブル１００）のサイズに合わせて形成されている。具体的には、カバー本体７４の下部７８からフロントカバー５５の中心軸に沿って所定の幅及び深さで凹状に切り欠き形成されている。スリット７９は、上記ブーツ９９（又は光ファイバケーブル１００）が丁度引き出せる大きさに形成されている。スリット７９の縁部には、上記ブーツ９９（又は光ファイバケーブル１００）及び上記光コネクタ９８の引っ掛かりを生じさせないようにするためのテーパ８１が形成されている。
【００４７】
シャッター収容部８０は、シャッター７６を収容するとともに、収容したシャッター７６を上下動自在に保持する部分であって、スリット７９の両側に位置するシャッターガイド８２、８３によって形成されている。シャッターガイド８２、８３は、共に、カバー本体７４の裏面から垂直に突出する部分と、その突出する部分からフロントカバー５５の上記中心軸方向にのびる部分とを有しており、略Ｌ字状に形成されている。上記中心軸方向にのびる部分は、カバー本体７４の裏面に対し平行に形成されている。また、上記中心軸側となる端部が上記中心軸に対して傾くようなテーパ形状に形成されている。尚、シャッター収容部８０は、シャッター７６を収容した状態でヒンジ構造７５を後述の如く折り曲げすると、シャッター７６の取り外しが不能となるような形状に形成されている。
【００４８】
シャッターガイド８２、８３の各外面には、ユニット本体５２の第二係止部６０に引っ掛かる係止突起８４が形成されている。その係止突起８４は、先端に係止用爪部分を有する突起であって、ユニット本体５２の第二係止部６０の位置に合わせて形成されている。尚、係止突起８４の配置は、上記位置に限らないものとする。すなわち、フロントカバー５５を後述する閉状態及び係止状態にすることができるのであれば、カバー本体７４の裏面に形成してもよいものとする。
【００４９】
シャッター７６は、長方形状のシャッター本体８５と、そのシャッター本体８５の一方の面から突出する凸部８６とを有している。シャッター本体８５は、表裏平坦な板状に形成されており、カバー本体７４の裏面と、上記中心軸方向にのびる部分との間に収容されるようになっている。凸部８６は、上記中心軸方向にのびる部分の肉厚程度に突出するように形成されている。凸部８６の左右縁部は、テーパ形状に形成されている。シャッター７６は、このような形状に形成されることにより、底のないシャッター収容部８０であっても脱落せずに収容されるようになっている。シャッター７６は、自重によってスリット７９を閉じるとともに、スリット７９に上記ブーツ９９（又は光ファイバケーブル１００）が差し込まれると押し上げられるシャッター押し上げ状態になるようになっている。
【００５０】
ヒンジ構造７５は、カバー本体７４の上部７７に連続するヒンジ８７と、そのヒンジ８７に連続してユニット本体５２に取り付けられる取り付け部８８とを有している。ヒンジ８７は、取り付け部８８がカバー本体７４の裏面側に折り曲げることができるように形成されている。取り付け部８８には、ユニット本体５２の第一係止部５９に差し込まれて引っ掛かる一対の係止突起８９が形成されている。フロントカバー５５は、ヒンジ８７を回転中心として開閉するようになっている。尚、ヒンジ構造７５に限定するものではないものとする。カバー本体７４の上部７７側でフロントカバー５５を開閉することができれば他の構造に替えてもよいものとする（例えば回転軸を設ける等）。
【００５１】
次に、上記構成に基づいて光コンセントユニット５１の組み立てに係る一例を図面を参照しながら説明する。
【００５２】
図８はアダプタステー５４に光コネクタアダプタ５３を取り付けている途中の状態の説明図、図９はアダプタステー５４に光コネクタアダプタ５３を取り付けた状態の説明図、図１０は図９のアダプタステー５４をユニット本体５２の後部に取り付けている途中の状態の説明図、図１１は図９のアダプタステー５４をユニット本体５２の後部に取り付けた状態の説明図、図１２はフロントカバー５５にシャッター７６を取り付けている途中の状態の説明図、図１３はフロントカバー５５にシャッター７６を取り付けた状態の説明図、図１４は図１３のフロントカバー５５をユニット本体５２の前部に取り付けている途中の状態の説明図、図１５は図１３のフロントカバー５５をユニット本体５２の前部に取り付けた状態の説明図、図１６は図１５の状態からフロントカバー５５を閉じて閉状態及び係止状態にした時の説明図である。
【００５３】
先ず、図８及び図９に示されるように、光コネクタアダプタ５３をアダプタステー５４に取り付ける作業を行う。この時、光コネクタアダプタ５３は、アダプタステー５４の斜面６９に載せられ、斜面６９上を滑るような格好で固定枠部７０に差し込まれる。そして、光コネクタアダプタ５３は、固定枠部７０と係止手段６８との嵌合によって所定の向き及び位置に固定される。
【００５４】
尚、図８及び図９は単心タイプの光コネクタアダプタ５３及びアダプタステー５４の組み付けについて図示している。この場合、光コネクタアダプタ５３は、アダプタステー５４の上方から固定枠部７０に差し込まれるような形態がとられる。これに対し、二心タイプの場合にあっては、アダプタステー５４の下方から固定枠部７０に差し込まれるような形態がとられる。
【００５５】
次に、図１０及び図１１に示されるように、光コネクタアダプタ５３の固定が完了したアダプタステー５４をユニット本体５２の後部に取り付ける作業を行う。アダプタステー５４は、ユニット本体５２の後方にセットされた後、前方に移動させられてアダプタステー収容空間６２に差し込まれるような状態で取り付けられる。この時、アダプタステー５４のガイド突起７２は、ユニット本体５２のアダプタステーガイド溝６４に差し込まれて案内される。また、アダプタステー５４は、アダプタステー収容空間６２に所定量差し込まれると、ユニット本体５２のアダプタステー固定アーム６３によって係止される。すなわち、アダプタステー固定アーム６３は、アダプタステー５４の係止部７１に引っ掛かりアダプタステー５４を係止する。これにより、アダプタステー５４のユニット本体５２への取り付けが完了し、アダプタステー５４はその後退が阻止される。ユニット本体５２の開口枠部５６からは光コネクタアダプタ５３を臨むことができるような状態になる。
【００５６】
続いて、図１２及び図１３に示されるように、シャッター７６をフロントカバー５５のシャッター収容部８０に取り付ける作業を行う。カバー本体７４は裏面側を上に向け、シャッター７６はカバー本体７４の上部７７側から、すなわちヒンジ構造７５側からシャッター収容部８０に差し込み収容される。この時、シャッター７６は、凸部８６の、テーパ形状になった上記左右縁部がシャッター収容部８０の、同じくテーパ形状になった上記端部によって案内されるようになる。
【００５７】
続いて、図１４及び図１５に示されるように、フロントカバー５５をユニット本体５２の前部に取り付ける作業を行う。フロントカバー５５は、シャッター７６をシャッター収容部８０に収容した状態でカバー本体７４の表面が上を向くように手で持ち上げられ、そして、ヒンジ構造７５の取り付け部８８をユニット本体５２の第一係止部５９に差し込むような状態で取り付けられる。この時、すなわち、取り付け部８８が第一係止部５９に係止されると、ヒンジ構造７５のヒンジ８７に、まだ折り曲げの癖がついていないことから、フロントカバー５５は図１５に示されるような開状態を維持する。
【００５８】
続いて、図１６に示されるように、フロントカバー５５を閉状態及び係止状態にする作業を行う。この時、フロントカバー５５は、ユニット本体５２の開口枠部５６を覆うような状態でヒンジ８７の部分で折り曲げられる。そして、ヒンジ８７の部分で折り曲げられたフロントカバー５５は、係止突起８４がユニット本体５２の第二係止部６０に引っ掛かり係止される。閉状態及び係止状態になったフロントカバー５５は、係止突起８４と第二係止部６０との係止状態を解除しない限り開かず、その係止状態の解除は、フロントカバー５５のカバー本体７４の下部７８に指を引っかけて手前に引くような力を加えないと解除されないようになっている。係止突起８４は、所定の力で弾性変形する可撓性を有しているものとする。以上により、光コンセントユニット５１の一連の組み立てが完了する。
【００５９】
尚、フロントカバー５５の閉状態及び係止状態において、カバー本体７４とヒンジ構造７５の取り付け部８８との配置が直交するようになることから、上下逆向き、すなわち逆さまにしても取り付け部８８がストッパーになってシャッター７６のシャッター収容部８０からの脱落が防止される。
【００６０】
以上のように組み立てられた光コンセントユニット５１は、次のように取り付けられて情報コンセントを構成する。その一例を図面を参照しながら説明する。
【００６１】
図１７は中央の取り付け口に電話線用モジュラージャックを取り付けた状態の取り付け枠の正面図、図１８は図１７の背面図、図１９は光コンセントユニットと電話線用モジュラージャックとを取り付けた状態の取り付け枠の正面図、図２０は図１９の背面図、図２１は情報コンセントの正面図、図２２は図２１の背面図、図２３は図２１の側面図である。
【００６２】
図１７及び図１８において、情報コンセントを構成する取り付け枠９０の三つの取り付け口９１のうち、中央の取り付け口９１には、電話線用モジュラージャック９２が既知の方法で取り付けられている。ここで引用符号９３はプレート取り付け枠を示している。そのプレート取り付け枠９３の表側には、電話線用モジュラージャック９２の位置に合わせて一つの開口部を有するフェイスプレート（図示省略）が取り付けられている。このような例えば既存住宅に対し光ファイバケーブルを導入する場合には、次のような取り付けが行われる。
【００６３】
先ず、電話線用モジュラージャック９２を既知の方法で取り外す作業を行い、次に、図１９及び図２０に示されるように、取り外した電話線用モジュラージャック９２と、光コンセントユニット５１とを取り付け枠９０の例えば上と下の各取り付け口９１に既知の方法で取り付ける作業を行う。光コンセントユニット５１は、電話線用モジュラージャック９２の固定部９４と同じ構造の固定部５８を有することから、取り付け口９１に対して簡単に取り付けられる。この時、光コンセントユニット５１の光コネクタアダプタ５３に、壁内部側の光ファイバケーブル（図示省略）の光コネクタ（図示省略）が接続されるとともに、その光ファイバケーブル（図示省略）に光ファイバ方端コネクタ付きコード（図示省略）が例えば融着接続され、上記光ファイバコネクタが接続されるとともに、上記融着接続部補強部が接続部保持部６５又は７３によって保持される。
【００６４】
続いて、図２１ないし図２３に示されるように、規格化された大きさの二つの開口部９５を有する既製のフェイスプレート９６をプレート取り付け枠９３の表側に取り付けると、情報コンセント９７に対する一連の作業が完了する。既存住宅に光ファイバケーブルを導入し光コンセントユニット５１を有する情報コンセント９７に変更する場合には、既製のフェイスプレートを適切な開口部を有するものに交換するのみで、その他は既存のものを利用することができる。
【００６５】
図２４ないし図２８を参照しながら情報コンセント９７の運用例を説明する。
【００６６】
図２４はフロントカバー閉状態の斜視図、図２５は光コネクタ接続前のフロントカバー開状態の斜視図、図２６は光コネクタ接続後のフロントカバー開状態の斜視図、図２７は光コネクタ接続後のフロントカバー閉状態の斜視図、図２８は図２７の側面図である。尚、各図面には、特に符号を付さないが、フェイスプレート９６に対するプレート取り付け枠９３の後方に配置されるコンセントボックスが示されている。
【００６７】
図２４において、非運用時はフロントカバー５５が閉状態となる。このような状態から、フロントカバー５５のカバー本体７４の下部７８に指を引っかけて手前に引くような力を加えると、フロントカバー５５の係止状態が解除（係止解除状態）され、そして、ヒンジ８７の復元力も加わって図２５に示されるようなフロントカバー５５の開状態となる。フロントカバー５５は、ヒンジ８７を回転中心として開き、カバー本体７４の下部７８側から光コネクタ９８の差し込みが可能となる。
【００６８】
その後、図２６に示されるように、光コネクタ９８の光コネクタアダプタ５３への接続が完了し、また、図２７及び図２８に示されるように、フロントカバー５５が閉状態及び係止状態になると運用が可能な状態となる。
【００６９】
光コネクタ９８の光コネクタアダプタ５３への接続後においては、フロントカバー５５の開状態から閉状態へ移行する際に、フロントカバー５５のシャッター７６が光コネクタ９８のブーツ９９に当接する（光コネクタ９８と同時に当接、若しくは光ファイバケーブル１００にシャッター７６が当接することでもよい）。シャッター７６は、光コネクタ９８のブーツ９９が当接することによって押し上げられる。運用時には、ブーツ９９及び光ファイバケーブル１００のみが情報コンセント９７から引き出された状態となる。フロントカバー５５は、閉状態においてフェイスプレート９６と平行な状態にあり邪魔になるようなことはない。
【００７０】
フロントカバー５５の特徴についてまとめると、「運用時・非運用時においては、光コンセントユニット５１のユニット本体５２に対し閉状態となるとともに、ユニット本体５２に対し係止状態となり（フェイスプレート９６に対し係止状態にすることも可）、光コネクタ９８の接続前においては、係止状態を解除することによって係止解除状態となるとともに、上部７７側を回転中心として開き下部７８側から光コネクタ９８の光接続部分への差し込みを可能とした開状態となり、さらに、光コネクタ９８の接続後においては、開状態から閉状態への移行の際に光コネクタ９８のブーツ９９（又は光ファイバケーブル１００）が当接することによって引き出し用のシャッター７６が押し上げられるシャッター押し上げ状態となる」という特徴を有する。
【００７１】
以上、図１ないし図２８を参照しながら説明してきたように、運用時・非運用時ともフロントカバー５５を閉じた状態にすることができる。フロントカバー５５を開く必要があるのは、サービス開始時となる光コネクタ９８の接続時と、サービス停止時となる光コネクタ９８の接続解除時の二つの場合になる。フロントカバー５５は、閉状態において、光コンセントユニット５１のユニット本体５２に対し係止することができる。その係止は、フロントカバー５５の簡単な開きを防止することができる。また、フロントカバー５５は、閉状態において、光コネクタ９８の光接続部分を覆うことができる。従って、誤って光コネクタ９８のロックを解除してしまうことを防止することができる。さらに、フロントカバー５５は、閉状態において、出射光を遮蔽したりゴミや埃等の異物の侵入を防止することができる。
【００７２】
フロントカバー５５は、手で係止状態を解除するとともに手で開くことによって光コネクタ９８の接続又は接続解除を従来同様に簡単に行うことができる。フロントカバー５５は、従来のような光コネクタの押しつけによって開くような構造を有するものではないことから、特に子供によって簡単に開状態にされてしまうことを防止することができる。
【００７３】
次に、上述のフロントカバー５５の変形例について図２９ないし図３５を参照しながら説明する。尚、上述と同じ部分については同一の符号を付してその説明を省略し、追加部分のみ説明する。追加部分はダッシュの符号（′）を付すことにする。図２９及び図３０はフロントカバーのカバー本体の図、図３１はフロントカバーのシャッターの図である。
【００７４】
図２９及び図３０において、カバー本体７４の裏面には、シャッター収容部８０の一構成部分となる保持突起８０′が形成されている。その保持突起８０′は、カバー本体７４の裏面上部に形成されており、シャッター７６を案内するテーパ面を有している。保持突起８０′は、シャッター７６を後述する開いた状態にする際に作用する突起として形成されている（シャッター７６を自重によってスリット７９を閉じる方向に移動させないようにする作用）。
【００７５】
図３１において、シャッター７６の凸部８６には、図示のような突起状の突き出し部８６′が形成されている。突き出し部８６′は、シャッター７６を後述する開いた状態にする際に用いる部分として、或いは、開いた状態から閉じた状態にする際に用いる部分として形成されている。突き出し部８６′は、指で操作し易い形状に形成されている。
【００７６】
図３２及び図３３において、図示のようにシャッター７６をフロントカバー５５のシャッター収容部８０に取り付ける作業を行うと、シャッター７６はカバー本体７４の上部７７側から、すなわちヒンジ構造７５側から保持突起８０′を乗り越えるようにしてシャッター収容部８０に差し込み収容される。この時、シャッター７６は、凸部８６の、テーパ形状になった上記左右縁部がシャッター収容部８０の、同じくテーパ形状になった上記端部によって案内されるようになる。また、突き出し部８６′は、シャッターガイド８２、８３の間から突出するようになる。尚、フロントカバー５５のユニット本体５２に対する取り付けは上述と同じであるものとする。
【００７７】
図３４及び図３５において、情報コンセント９７の運用の際にフロントカバー５５を開状態にし、その後、突き出し部８６′に指を引っ掛けてシャッター７６を押し上げると、シャッター７６が開いた状態となりスリット７９が開口する。そして、特に図示しないが、光コネクタ９８の光コネクタアダプタ５３への接続が完了しフロントカバー５５を閉状態にすると、フロントカバー５５からは光コネクタ９８のブーツ９９のみが露出する状態になる。
【００７８】
変形例のフロントカバー５５の特徴についてまとめると、「運用時・非運用時においては、光コンセントユニット５１のユニット本体５２に対し閉状態となるとともに、ユニット本体５２に対し係止状態となり（フェイスプレート９６に対し係止状態にすることも可）、光コネクタ９８の接続前においては、係止状態を解除することによって係止解除状態となるとともに、上部７７側を回転中心として開き下部７８側から光コネクタ９８の光接続部分への差し込みを可能とした開状態となり、その後、シャッター７６の突き出し部８６′に指を引っ掛けてシャッター７６を押し上げると、シャッター７６の開いた状態となり、さらに、光コネクタ９８の接続後においては、再びユニット本体５２に対して係止状態となり、フロントカバー５５からは光コネクタ９８のブーツ９９のみが露出する状態になる」という特徴を有する。変形例のフロントカバー５５の効果は、上述と同様である。
【００７９】
その他、本発明は本発明の主旨を変えない範囲で種々変更実施可能なことは勿論である。
【図面の簡単な説明】
【００８０】
【図１】本発明の光コンセントユニットのフロントカバーの一実施の形態を示す図であり、（ａ）は光コンセントユニットの分解斜視図、（ｂ）は光コンセントユニットの斜視図である。
【図２】ユニット本体の図であり、（ａ）は平面図、（ｂ）は正面図、（ｃ）は底面図である。
【図３】ユニット本体の図であり、（ａ）は縦断面図、（ｂ）は側面図、（ｃ）は背面図である。
【図４】アダプタステーの図であり、（ａ）は二心タイプの光コネクタアダプタに対するアダプタステーの斜視図、（ｂ）は単心タイプの光コネクタアダプタに対するアダプタステーの斜視図である。
【図５】フロントカバーのカバー本体の図であり、（ａ）は平面図、（ｂ）は正面図、（ｃ）は底面図である。
【図６】フロントカバーのカバー本体の図であり、（ａ）は側面図、（ｂ）は背面図、（ｃ）は縦断面図である。
【図７】フロントカバーのシャッターの図であり、（ａ）は平面図、（ｂ）は正面図、（ｃ）は底面図、（ｄ）は側面図である。
【図８】アダプタステーに光コネクタアダプタを取り付けている途中の状態の説明図である。
【図９】アダプタステーに光コネクタアダプタを取り付けた状態の説明図である。
【図１０】図９のアダプタステーをユニット本体後部に取り付けている途中の状態の説明図である。
【図１１】図９のアダプタステーをユニット本体後部に取り付けた状態の説明図である。
【図１２】フロントカバーにシャッターを取り付けている途中の状態の説明図である。
【図１３】フロントカバーにシャッターを取り付けた状態の説明図である。
【図１４】図１３のフロントカバーをユニット本体前部に取り付けている途中の状態の説明図である。
【図１５】図１３のフロントカバーをユニット本体前部に取り付けた状態の説明図である。
【図１６】図１５の状態からフロントカバーを閉じて閉状態及び係止状態にした時の説明図である。
【図１７】中央の取り付け口に電話線用モジュラージャックを取り付けた状態の取り付け枠の正面図である。
【図１８】図１７の背面図である。
【図１９】光コンセントユニットと電話線用モジュラージャックとを取り付けた状態の取り付け枠の正面図である。
【図２０】図１９の背面図である。
【図２１】情報コンセントの正面図である。
【図２２】図２１の背面図である。
【図２３】図２１の側面図である。
【図２４】フロントカバー閉状態の斜視図である。
【図２５】光コネクタ接続前のフロントカバー開状態の斜視図である。
【図２６】光コネクタ接続後のフロントカバー開状態の斜視図である。
【図２７】光コネクタ接続後のフロントカバー閉状態の斜視図である。
【図２８】図２７の側面図である。
【図２９】フロントカバーのカバー本体の図であり、（ａ）は平面図、（ｂ）は正面図、（ｃ）は底面図である。
【図３０】フロントカバーのカバー本体の図であり、（ａ）は側面図、（ｂ）は背面図、（ｃ）は縦断面図である。
【図３１】フロントカバーのシャッターの図であり、（ａ）は平面図、（ｂ）は正面図、（ｃ）は底面図、（ｄ）は側面図である。
【図３２】フロントカバーにシャッターを取り付けている途中の状態の説明図である。
【図３３】フロントカバーにシャッターを取り付けた状態の説明図である。
【図３４】フロントカバーのシャッターを開く前の状態の説明図である。
【図３５】フロントカバーのシャッターを開いた状態の説明図である。
【図３６】従来例の情報コンセントの構成説明図である。
【符号の説明】
【００８１】
５１  光コンセントユニット
５２  ユニット本体
５３  光コネクタアダプタ
５４  アダプタステー
５５  フロントカバー
５６  開口枠部
５７  本体枠部
５８  固定部
５９  第一係止部
６０  第二係止部
６１  当接面
６２  アダプタステー収容空間
６３  アダプタステー固定アーム
６４  アダプタステーガイド溝
６５  接続部保持部
６６、６７  接続部
６８  係止手段
６９  斜面
７０  固定枠部
７１  係止部
７２  ガイド突起
７３  接続部保持部
７４  カバー本体
７５  ヒンジ構造
７６  シャッター
７７  上部
７８  下部
７９  スリット
８０  シャッター収容部
８０′保持突起
８１  テーパ
８２、８３  シャッターガイド
８４  係止突起
８５  シャッター本体
８６  凸部
８６′突き出し部
８７  ヒンジ
８８  取り付け部
８９  係止突起
９０  取り付け枠
９１  取り付け口
９２  電話線用モジュラージャック
９３  プレート取り付け枠
９４  固定部
９５  開口部
９６  フェイスプレート
９７  情報コンセント
９８  光コネクタ
９９  ブーツ
１００  光ファイバケーブル
【図１】
2006098793.tif 000003
【図２】
2006098793.tif 000004
【図３】
2006098793.tif 000005
【図４】
2006098793.tif 000006
【図５】
2006098793.tif 000007
【図６】
2006098793.tif 000008
【図７】
2006098793.tif 000009
【図８】
2006098793.tif 000010
【図９】
2006098793.tif 000011
【図１０】
2006098793.tif 000012
【図１１】
2006098793.tif 000013
【図１２】
2006098793.tif 000014
【図１３】
2006098793.tif 000015
【図１４】
2006098793.tif 000016
【図１５】
2006098793.tif 000017
【図１６】
2006098793.tif 000018
【図１７】
2006098793.tif 000019
【図１８】
2006098793.tif 000020
【図１９】
2006098793.tif 000021
【図２０】
2006098793.tif 000022
【図２１】
2006098793.tif 000023
【図２２】
2006098793.tif 000024
【図２３】
2006098793.tif 000025
【図２４】
2006098793.tif 000026
【図２５】
2006098793.tif 000027
【図２６】
2006098793.tif 000028
【図２７】
2006098793.tif 000029
【図２８】
2006098793.tif 000030
【図２９】
2006098793.tif 000031
【図３０】
2006098793.tif 000032
【図３１】
2006098793.tif 000033
【図３２】
2006098793.tif 000034
【図３３】
2006098793.tif 000035
【図３４】
2006098793.tif 000036
【図３５】
2006098793.tif 000037
【図３６】
2006098793.tif 000038